(57)【要約】【課題】ユーザがダビングしたい録画情報を従来よりも早い時期にすべてダビングすることができ、利便性が向上する録画装置を提供する。【解決手段】ＣＰＵ８は、ハードディスクに記録された録画情報のうちリモコン２１の操作により選択された録画情報をＤＶＤにダビングするときのダビング終了時刻Ｔ１を算出し、フラッシュメモリ１８に記憶された予約録画開始時刻情報を検索し現在時刻に最も近い予約録画開始時刻Ｔ２を検索し、もしダビング終了時刻Ｔ１が予約録画開始時刻Ｔ２よりも後である場合、ＣＰＵ８は、選択された録画情報のうち現在時刻から予約録画開始時刻Ｔ２までの時間内にダビング可能な録画情報を調査し、該調査された録画情報がハードディスクからＤＶＤへダビングされる。【選択図】図１
2007214725.tif 000002
【特許請求の範囲】
【請求項１】
予約録画機能を有し予約録画開始時刻が設定される録画装置であって、
第一の記録媒体に記録された録画情報のうち操作手段により選択され前記第一の記録媒体から第二の記録媒体へダビングをする順番が設定された録画情報を前記第二の記録媒体へダビングするのに要する時間を算出し、該算出された時間に現在時刻を加算しダビング終了時刻を算出する算出手段と、
現在時刻に最も近い予約録画開始時刻を検索する検索手段と、
前記ダビング終了時刻が前記現在時刻に最も近い予約録画開始時刻よりも後の場合に、
前記設定されたダビングをする順番でどの録画情報までなら現在時刻から前記現在時刻に最も近い予約録画開始時刻までの時間内に前記第一の記録媒体から前記第二の記録媒体へダビング可能であるかを調査することで、前記操作手段により選択された録画情報のうち現在時刻から前記現在時刻に最も近い予約録画開始時刻までの時間内に前記第一の記録媒体から前記第二の記録媒体へダビング可能な録画情報を調査する調査手段と、
該調査手段が調査した録画情報を前記第一の記録媒体から前記第二の記録媒体へダビングするダビング手段と、
前記調査手段が調査した録画情報に関する情報を表示手段に表示させるための信号を生成する表示信号生成手段と、
を備えることを特徴とする録画装置。
【請求項２】
予約録画機能を有し予約録画開始時刻が設定される録画装置であって、
第一の記録媒体に記録された録画情報のうち操作手段により選択された録画情報を第二の記録媒体へダビングするのに要する時間を算出し、該算出された時間に現在時刻を加算しダビング終了時刻を算出する算出手段と、
現在時刻に最も近い予約録画開始時刻を検索する検索手段と、
前記ダビング終了時刻が前記現在時刻に最も近い予約録画開始時刻よりも後の場合に、
前記操作手段により選択された録画情報のうち前記第一の記録媒体から前記第二の記録媒体へのダビングに要する時間が現在時刻から前記現在時刻に最も近い予約録画開始時刻までの時間内で最大となるような録画情報の組み合わせを調査することで、前記操作手段により選択された録画情報のうち現在時刻から前記現在時刻に最も近い予約録画開始時刻までの時間内に前記第一の記録媒体から前記第二の記録媒体へダビング可能な録画情報を調査する調査手段と、
該調査手段が調査した録画情報を前記第一の記録媒体から前記第二の記録媒体へダビングするダビング手段と、
前記調査手段が調査した録画情報に関する情報を表示手段に表示させるための信号を生成する表示信号生成手段と、
を備えることを特徴とする録画装置。
【請求項３】
予約録画機能を有し予約録画開始時刻が設定される録画装置であって、
第一の記録媒体に記録された録画情報のうち操作手段により選択された録画情報を第二の記録媒体へダビングするのに要する時間を算出し、該算出された時間に現在時刻を加算しダビング終了時刻を算出する算出手段と、
現在時刻に最も近い予約録画開始時刻を検索する検索手段と、
前記ダビング終了時刻が前記現在時刻に最も近い予約録画開始時刻よりも後の場合に、前記操作手段により選択された録画情報のうち現在時刻から前記現在時刻に最も近い予約録画開始時刻までの時間内に前記第一の記録媒体から前記第二の記録媒体へダビング可能な録画情報を調査する調査手段と、
該調査手段が調査した録画情報を前記第一の記録媒体から前記第二の記録媒体へダビングするダビング手段と、
を備えることを特徴とする録画装置。
【請求項４】
前記操作手段により選択された録画情報は、前記操作手段により前記第一の記録媒体から前記第二の記録媒体へダビングをする順番が設定されており、
前記調査手段は、前記設定されたダビングをする順番でどの録画情報までなら現在時刻から前記現在時刻に最も近い予約録画開始時刻までの時間内に前記第一の記録媒体から前記第二の記録媒体へダビング可能であるかを調査することで、前記操作手段により選択された録画情報のうち現在時刻から前記現在時刻に最も近い予約録画開始時刻までの時間内に前記第一の記録媒体から前記第二の記録媒体へダビング可能な録画情報を調査する、  
ことを特徴とする請求項３に記載の録画装置。
【請求項５】
前記調査手段は、前記操作手段により選択された録画情報のうち前記第一の記録媒体から前記第二の記録媒体へのダビングに要する時間が現在時刻から前記現在時刻に最も近い予約録画開始時刻までの時間内で最大となるような録画情報の組み合わせを調査することで、前記操作手段により選択された録画情報のうち現在時刻から前記現在時刻に最も近い予約録画開始時刻までの時間内に前記第一の記録媒体から前記第二の記録媒体へダビング可能な録画情報を調査する、
ことを特徴とする請求項３に記載の録画装置。
【請求項６】
前記調査手段が調査した録画情報に関する情報を表示手段に表示させるための信号を生成する表示信号生成手段を備えることを特徴とする請求項３に記載の録画装置。
【発明の詳細な説明】
【技術分野】
【０００１】
本発明は、録画装置に関する。
【背景技術】
【０００２】
昨今、ＤＶＤレコーダとハードディスクを組み合わせた複合型のＤＶＤレコーダが登場している。このようなＤＶＤレコーダは、放送番組等を内蔵された大容量のハードディスクに一旦録画しておき、後で必要なタイトルのみＤＶＤにダビングしてバックアップするような使い方をされる。
【０００３】
また、上記ＤＶＤレコーダは予約録画機能を有し、予約された録画開始時刻から予約された録画終了時刻までハードディスクに録画することができる。ここで、上記のようにハードディスクからＤＶＤにダビングする際、ダビング中に予約された録画開始時刻となった場合、ダビングが停止されるか、予約録画が開始されないということがあった。
【０００４】
そこで、例えば特許文献１には、選択されたタイトルをダビング中に現在時刻に最も近い予約された録画開始時刻となるような場合、現時点ですぐにダビングは行わず、予約録画と予約録画の間の期間のうち、選択されたタイトルをダビング可能な期間にダビングを行うものが開示されている。これによれば、ダビングおよび予約録画双方を完全に処理することができる。
【特許文献１】特開２００４−４０３３５号公報
【発明の開示】
【発明が解決しようとする課題】
【０００５】
しかし、上記特許文献１の従来技術では、選択されたタイトルをダビング可能な期間までダビングが後回しとなるので、選択されたタイトルをすべてダビングできるのはかなり後になってからとなってしまい、利便性が低いという問題がある。
【０００６】
上記問題点を鑑み、本発明は、ユーザがダビングしたい録画情報を従来よりも早い時期にすべてダビングすることができ、利便性が向上する録画装置を提供することを目的とする。
【課題を解決するための手段】
【０００７】
上記目的を達成するために本発明の録画装置は、予約録画機能を有し予約録画開始時刻が設定される録画装置であって、
第一の記録媒体に記録された録画情報のうち操作手段により選択された録画情報を第二の記録媒体へダビングするのに要する時間を算出し、該算出された時間に現在時刻を加算しダビング終了時刻を算出する算出手段と、
現在時刻に最も近い予約録画開始時刻を検索する検索手段と、
前記ダビング終了時刻が前記現在時刻に最も近い予約録画開始時刻よりも後の場合に、前記操作手段により選択された録画情報のうち現在時刻から前記現在時刻に最も近い予約録画開始時刻までの時間内に前記第一の記録媒体から前記第二の記録媒体へダビング可能な録画情報を調査する調査手段と、
該調査手段が調査した録画情報を前記第一の記録媒体から前記第二の記録媒体へダビングするダビング手段と、
を備えることを特徴としている。
【０００８】
このような構成によれば、現在時刻から直近の予約録画開始時刻までの間に、選択した録画情報すべてをダビングすることが不可能であっても、現在時刻から直近の予約録画開始時刻までの間にダビング可能な録画情報が自動で調査され、その録画情報をダビングすることができるので、空き時間である現在時刻から直近の予約録画開始時刻までの時間を有効利用でき、結果的にユーザがダビングしたい録画情報を従来よりも早い時期にすべてダビングすることができ、利便性が向上する。
【０００９】
また、さらに本発明では、前記操作手段により選択された録画情報は、前記操作手段により前記第一の記録媒体から前記第二の記録媒体へダビングをする順番が設定されており、
前記調査手段は、前記設定されたダビングをする順番でどの録画情報までなら現在時刻から前記現在時刻に最も近い予約録画開始時刻までの時間内に前記第一の記録媒体から前記第二の記録媒体へダビング可能であるかを調査することで、前記操作手段により選択された録画情報のうち現在時刻から前記現在時刻に最も近い予約録画開始時刻までの時間内に前記第一の記録媒体から前記第二の記録媒体へダビング可能な録画情報を調査する、ことを特徴としている。
【００１０】
このような構成によれば、現在時刻から直近の予約録画開始時刻までの間に、選択した録画情報すべてをダビングすることが不可能であっても、現在時刻から直近の予約録画開始時刻までの間に設定されたダビングの順番でダビング可能な録画情報が自動で調査され、その録画情報をダビングすることができるので、空き時間である現在時刻から直近の予約録画開始時刻までの時間を有効利用でき、結果的にユーザがダビングしたい録画情報を従来よりも早い時期にすべてダビングすることができ、利便性が向上する。
【００１１】
また、さらに本発明では、前記調査手段は、前記操作手段により選択された録画情報のうち前記第一の記録媒体から前記第二の記録媒体へのダビングに要する時間が現在時刻から前記現在時刻に最も近い予約録画開始時刻までの時間内で最大となるような録画情報の組み合わせを調査することで、前記操作手段により選択された録画情報のうち現在時刻から前記現在時刻に最も近い予約録画開始時刻までの時間内に前記第一の記録媒体から前記第二の記録媒体へダビング可能な録画情報を調査する、
ことを特徴としている。
【００１２】
このような構成によれば、現在時刻から直近の予約録画開始時刻までの間に、選択した録画情報すべてをダビングすることが不可能であっても、ダビング時間が現在時刻から直近の予約録画開始時刻までの間で最大となる録画情報の組み合わせが自動で調査され、その録画情報をダビングすることができるので、空き時間である現在時刻から直近の予約録画開始時刻までの時間を最大限有効利用でき、結果的にユーザがダビングしたい録画情報をより早い時期にすべてダビングすることができ、利便性がより向上する。
【００１３】
また、さらに、本発明では、前記調査手段が調査した録画情報に関する情報を表示手段に表示させるための信号を生成する表示信号生成手段を備えることを特徴としている。
【００１４】
このような構成によれば、ダビング可能な録画情報についてユーザが確認することができる。
【発明の効果】
【００１５】
本発明の録画装置によれば、ユーザがダビングしたい録画情報を従来よりも早い時期にすべてダビングすることができ、利便性が向上する。
【発明を実施するための最良の形態】
【００１６】
以下、本発明の実施形態について図面を参照しつつ説明する。ここでは、ハードディスクを搭載したＤＶＤレコーダを例として説明するが、本発明はこれに限られることはない。
【００１７】
図１は、本発明に係るＤＶＤレコーダ１の構成を示すブロック図である。
【００１８】
アンテナ２は、放送電波信号を受信し高周波信号である放送信号をチューナ３に送出する。チューナ３は、アンテナ２から受信した放送信号から所定の周波数の放送信号を選局して検波回路４に送出する。検波回路４は、チューナ３から受信した放送信号からコンポジット信号および音声信号を検波する。ビデオデコーダ５は、検波回路４から受信したコンポジット信号をデジタル映像信号に変換する。Ａ／Ｄコンバータ６は、検波回路４から受信した音声信号をデジタル音声信号に変換する。ＭＰＥＧエンコーダ７は、上記デジタル映像信号および上記デジタル音声信号をＭＰＥＧ２に準拠して圧縮符号化する。ハードディスクドライブ９は、圧縮符号化されたデジタル映像信号およびデジタル音声信号を内蔵するハードディスクに記録したり、ハードディスクから読み出したりする。ＤＶＤドライブ２０は、圧縮符号化されたデジタル映像信号およびデジタル音声信号を内部に挿入されたＤＶＤに記録したり、ＤＶＤから読み出したりする。
【００１９】
ＭＰＥＧデコーダ１０は、圧縮符号化されたデジタル映像信号およびデジタル音声信号をＭＰＥＧ２に準拠して復号化する。スイッチ１１は、ビデオデコーダ５からＯＳＤ（Ｏｎ  Ｓｃｒｅｅｎ  Ｄｉｓｐｌａｙ）部１４への信号経路と、ＭＰＥＧデコーダ１０からＯＳＤ部１４への信号経路とを切り換える。ＯＳＤ部１４は、図形信号や文字信号を生成し、ビデオデコーダ５またはＭＰＥＧデコーダ１０から受信したデジタル映像信号と合成して表示信号としてビデオエンコーダ１５に送出する。なお、ＯＳＤ部１４は、図形信号や文字信号のみを表示信号としてビデオエンコーダ１５に送出する場合もある。ビデオエンコーダ１５は、ＯＳＤ部１４から受信した表示信号をコンポジット信号に変換してＤＶＤレコーダ１に接続された図示しないテレビ等の表示装置に送出する。表示装置の画面には、上記コンポジット信号に基づき映像が表示される。
【００２０】
Ｄ／Ａコンバータ１３は、ＭＰＥＧデコーダ１０から受信したデジタル音声信号をアナログ音声信号に変換する。スイッチ１２は、検波回路４からハードディスレコーダ１外部への信号経路と、Ｄ／Ａコンバータ１３からハードディスレコーダ１外部への信号経路とを切り換える。スイッチ１２は、検波回路４またはＤ／Ａコンバータ１３から受信した音声信号をＤＶＤレコーダ１に接続された図示しない表示装置に送出する。表示装置のスピーカからは、上記音声信号に基づき音声が発せられる。
【００２１】
ＲＡＭ１７は、ＣＰＵ８のワークメモリ等に用いられる。フラッシュメモリ１８は、ＣＰＵ８の制御用プログラムや各種情報が記憶される不揮発性メモリである。内部時計１９は、時刻を計るものであり、後述する予約録画等に用いられる。
【００２２】
リモコン受信部１６は、リモコン２１からの赤外線信号を受信および復調し、操作信号をＣＰＵ８に送出する。リモコン２１は、ボタン等のインターフェイスを有し、インターフェイスの操作に対応する赤外線信号を送出する。
【００２３】
次に、上記のような構成のＤＶＤレコーダ１の動作について以下説明する。
【００２４】
リモコン２１が有するメインメニューボタンが押されると、リモコン２１が赤外線信号を送出し、リモコン受信部１６がこれを受信および復調し、メインメニュー表示を表す操作信号をＣＰＵ８に送出する。そして、ＣＰＵ８はＯＳＤ部１４にメインメニューを表示するよう指示し、ＯＳＤ部１４はメインメニューの表示信号をビデオエンコーダ１５に送出し、ビデオエンコーダ１５は表示信号をコンポジット信号に変換し表示装置に送出し、表示装置の画面に図２のようなメインメニューが表示される。ここでは、各操作項目が選択枠２２と共に表示される。なお、以下説明する各種操作画面（図２、３、４、５）は、リモコン２１がボタン等の操作に対応する赤外線信号を送出し、リモコン受信部１６がこれを受信および復調し、操作信号をＣＰＵ８に送出し、ＯＳＤ部１４がＣＰＵ８の指示に基づき表示信号をビデオエンコーダ１５に送出し、ビデオエンコーダ１５が表示信号をコンポジット信号に変換し表示装置に送出することで、表示装置に表示される。
【００２５】
上記メインメニュー（図２）において、リモコン２１が有する矢印キーにより選択枠２２が移動され「放送視聴」が選択され、リモコン２１が有する決定ボタンが押されると、ＣＰＵ８は、スイッチ１１にビデオデコーダ５からＯＳＤ部１４への信号経路がつながるよう指示信号を送出し、ＯＳＤ部１４は、ビデオデコーダ５からのデジタル映像信号を受信する。ＯＳＤ部１４は、表示枠等の図形信号や現在選局されているチャンネル番号等の文字信号を生成し、上記デジタル映像信号と合成して表示信号としてビデオエンコーダ１５に送出する。そして、ビデオエンコーダ１５で表示信号がコンポジット信号に変換され表示装置に送出され、表示装置の画面にコンポジット信号に基づく映像が表示される。また、ＣＰＵ８は、スイッチ１２に検波回路４からハードディスレコーダ１外部への信号経路がつながるよう指示信号を送出し、検波回路４からの音声信号が表示装置に送出され、表示装置のスピーカから音声信号に基づく音声が発せられる。これにより、ユーザは放送番組を視聴することができる。
【００２６】
また、上記メインメニュー（図２）において、リモコン２１が有する矢印キーにより選択枠２２が移動され「ＨＤ通常録画」が選択され、リモコン２１が有する決定ボタンが押されると、図３（ａ）のようなチャンネル指定画面が表示装置に表示される。ここで、カーソル２３にリモコン２１が有するテンキーによりチャンネル番号が入力され、リモコン２１が有する決定ボタンが押されると、図３（ｂ）のような録画開始確認画面が表示装置に表示される。ここで、リモコン２１が有する矢印キーにより選択枠２２が移動され「はい」が選択され、リモコン２１が有する決定ボタンが押されると、ＣＰＵ８は、フラッシュメモリ１８に通常録画中を表す情報を記憶する。そして、ＣＰＵ８は、上記で指定されたチャンネル番号を選局するようチューナ３に指示し、ＭＰＥＧエンコーダ７から受信した圧縮符号化されたデジタル映像信号およびデジタル音声信号をハードディスクドライブ９に送出する。そして、ハードディスクドライブ９は、圧縮符号化されたデジタル映像信号およびデジタル音声信号を内蔵するハードディスクに記録してゆき、指定されたチャンネル番号の放送番組が録画される。
【００２７】
録画中にリモコン２１の録画停止ボタンが押されると、ＣＰＵ８は録画停止操作信号をリモコン受信部１６から受信し、圧縮符号化されたデジタル映像信号およびデジタル音声信号をハードディスクドライブ９に送出することを停止し、仮のタイトル名を表す仮タイトル名情報（例えば、「タイトル×」（×は数字））および録画情報のデータ量を表すデータ量情報を生成し、ハードディスクドライブ９に送出する。そして、ハードディスクドライブ９は、仮タイトル名情報およびデータ量情報を録画情報に対応させて内蔵するハードディスクに記録する。なお、仮タイトル名情報は後でユーザがリモコン２０の操作により自由に変更して、新しく設定されたタイトル名情報をハードディスクに記録しておくことができる。そして、ＣＰＵ８は、フラッシュメモリ１８に記憶された通常録画中を表す情報を消去する。以上で通常録画が完了する。
【００２８】
また、上記メインメニュー（図２）において、リモコン２１が有する矢印キーにより選択枠２２が移動され「ＨＤ予約録画」が選択され、リモコン２１が有する決定ボタンが押されると、図４（ａ）のようなチャンネル指定画面が表示装置に表示される。ここで、カーソル２３にリモコン２１が有するテンキーによりチャンネル番号が入力され、リモコン２１が有する決定ボタンが押されると、図４（ｂ）のような録画開始時刻指定画面が表示装置に表示される。ここでは、リモコン２１が有する矢印キーによりカーソル２３が月日時分に対応する位置を移動されながら、リモコン２１が有するテンキーにより数字が入力され、録画を開始する時刻が指定される。そして、リモコン２１が有する決定ボタンが押されると、図４（ｃ）のような録画終了時刻指定画面が表示装置に表示される。ここでは、リモコン２１が有する矢印キーによりカーソル２３が月日時分に対応する位置を移動されながら、リモコン２１が有するテンキーにより数字が入力され、録画を終了する時刻が指定される。そして、リモコン２１が有する決定ボタンが押されると、図４（ｄ）のような録画設定確認画面が表示装置に表示される。ここで、リモコン２１が有する矢印キーにより選択枠２２が移動され「はい」が選択され、リモコン２１が有する決定ボタンが押されると、ＣＰＵ８は、フラッシュメモリ１８に上記で指定されたチャンネル番号、予約録画開始時刻、予約録画終了時刻を表す情報を記憶し、予約録画の設定が完了する。
【００２９】
その後、内部時計１９で得られた現在時刻情報とフラッシュメモリ１８に記憶された予約録画開始時刻情報が一致すると、ＣＰＵ８は、フラッシュメモリ１８に予約録画中を表す情報を記憶する。そして、ＣＰＵ８は、フラッシュメモリ１８に記憶されたチャンネル番号情報が表すチャンネル番号を選局するようチューナ３に指示し、ＭＰＥＧエンコーダ７から受信した圧縮符号化されたデジタル映像信号およびデジタル音声信号をハードディスクドライブ９に送出する。そして、ハードディスクドライブ９は、圧縮符号化されたデジタル映像信号およびデジタル音声信号を内蔵するハードディスクに記録してゆき、指定されたチャンネル番号の放送番組が録画される。
【００３０】
そして、録画中に内部時計１９で得られた現在時刻情報とフラッシュメモリ１８に記憶された予約録画終了時刻情報が一致すると、ＣＰＵ８は、圧縮符号化されたデジタル映像信号およびデジタル音声信号をハードディスクドライブ９に送出することを停止し、前述した仮タイトル名情報およびデータ量情報を生成し、ハードディスクドライブ９に送出する。そして、ハードディスクドライブ９は、仮タイトル名情報およびデータ量情報を録画情報に対応させて内蔵するハードディスクに記録する。そして、ＣＰＵ８は、フラッシュメモリ１８に記憶された予約録画中を表す情報およびチャンネル番号、予約録画開始時刻、予約録画終了時刻を表す情報を消去する。以上で予約録画が完了する。
【００３１】
次に、本発明に係るＤＶＤレコーダ１の特徴である、ハードディスクからＤＶＤへダビングする場合の動作について以下説明する。
【００３２】
上記メインメニュー（図２）において、リモコン２１が有する矢印キーにより選択枠２２が移動され「ダビング」が選択され、リモコン２１が有する決定ボタンが押されると、ＣＰＵ８は、ハードディスクドライブ９に、ハードディスクに記録された仮タイトル名情報およびユーザにより設定されたタイトル名情報（以下、まとめてタイトル名情報と呼ぶ）およびデータ量情報を読み出すよう指示する。そして、ハードディスクドライブ９は、ハードディスクからタイトル名情報およびデータ量情報を読み出し、ＣＰＵ８に送出する。ＣＰＵ８は、タイトル名情報およびデータ量情報を対応させてＲＡＭ１７に記憶させる。
【００３３】
また、ＣＰＵ８は、タイトル名情報をＯＳＤ部１４に送出し、ＯＳＤ部１４は、タイトル名情報に基づき表示信号を生成しビデオエンコーダ１５に送出し、ビデオエンコーダ１５は表示信号をコンポジット信号に変換し表示装置に送出する。そして、表示装置には図５（ａ）のようなタイトル選択画面が表示され、ここでは仮タイトル名（「トラック０」等）およびユーザにより設定されたタイトル名（「ドラマ×××」等）がリスト表示される。この画面で、ユーザはダビングをする録画情報を選択し、ダビングをする順番を設定することができる。
【００３４】
ここで、リモコン２１が有する矢印キーにより選択枠２２が移動され任意のタイトル名が選択された状態でリモコン２１が有する決定ボタンが押されると、ＣＰＵ８は、選択されたタイトル名のタイトル名情報に対応させて１を表すフラグ情報をＲＡＭ１７に記憶させ、選択されたタイトル名の左隣に番号１を表示するようＯＳＤ部１４に指示し、選択されたタイトル名の左隣に番号１が表示される。
【００３５】
次に、先と別のタイトル名が選択枠２２により選択されリモコン２１が有する決定ボタンが押されると、ＣＰＵ８は、選択されたタイトル名のタイトル名情報に対応させて先ほどより値を１だけ増やした２を表すフラグ情報をＲＡＭ１７に記憶させ、選択されたタイトル名の左隣に値を先ほどより１だけ増やして番号を表示するようＯＳＤ部１４に指示し、タイトル名の左隣に番号２が表示される。以降同様のリモコン操作により、タイトル名情報に対応してフラグ情報が１ずつ値を大きくしながらＲＡＭ１７に記憶され、選択されたタイトル名の左隣に１ずつ値を大きくしながら番号が表示される。このフラグ情報および表示される番号は、ダビングをする順番を示す。図５（ｂ）は、「トラック６」「トラック０」「野球中継×ＶＳ△」「ドラマ×××」の順に選択されたところを示している。
【００３６】
このようにダビングする録画情報が選択されダビングをする順番が設定された後、リモコン２１が有する矢印キーにより「ダビング開始」のところに選択枠２２が移動され、リモコン２１が有する決定ボタンが押されると、図６に示すフローチャートの処理に進む。
【００３７】
以下、図６に示すフローチャートの処理について説明する。
【００３８】
まず、ステップＳ１で、ＣＰＵ８は、上記フラグ情報に対応するＲＡＭ１７に記憶されたデータ量情報に基づき、上記で選択された録画情報をすべてダビングするのに要する時間を算出する。そして、ＣＰＵ８は、内部時計１９から得られる現在時刻に上記で算出されたダビング時間を加算し、ダビング終了時刻Ｔ１を算出する。
【００３９】
次にステップＳ２で、ＣＰＵ８は、フラッシュメモリ１８を読みに行き、フラッシュメモリ１８に予約録画開始時刻情報が記憶されているかを判定することで、予約録画が現在設定されているかを判定する。もし、予約録画が設定されていなければ（ステップＳ２のＮ）、ステップＳ８に進む。
【００４０】
ステップＳ８で、ＣＰＵ８は、フラグ情報に対応する録画情報をフラグ情報の値が小さいものから順にハードディスクから読み出すようハードディスクドライブ９に指示し、ハードディスクドライブ９は、ハードディスクから録画情報を読み出して、ＣＰＵ８に送出する。そして、ＣＰＵ８は、録画情報をＤＶＤドライブ２０に送出し、ＤＶＤドライブ２０は録画情報をＤＶＤに記録し、ダビングが実行される。これにより、上記で選択された録画情報が上記で設定されたダビングをする順番でダビングされる。
【００４１】
上記ステップＳ２で、もし、予約録画が設定されていれば（ステップＳ２のＹ）、ステップＳ３に進む。ステップＳ３で、ＣＰＵ８は、フラッシュメモリ１８に記憶された予約録画開始時刻情報の中から、現在時刻に最も近い予約録画開始時刻Ｔ２の情報を検索する。そして、ステップＳ４に進む。
【００４２】
ステップＳ４で、ＣＰＵ８は、ダビング終了時刻Ｔ１と予約録画開始時刻Ｔ２とを比較し、もし、ダビング終了時刻Ｔ１が予約録画開始時刻Ｔ２よりも後であれば（ステップＳ４のＹ）、ステップＳ５に進み、そうでなければ（ステップＳ４のＮ）、上記ステップＳ８に進み、上記で選択された録画情報が上記で設定されたダビングをする順番でダビングされる。
【００４３】
ステップＳ５で、ＣＰＵ８は、上記で設定されたダビングをする順番でどの録画情報までなら現在時刻から予約録画開始時刻Ｔ２までの時間内にダビング可能であるかを調査する。ここでは、図７のフローチャートのような処理を行う。
【００４４】
まず、ステップＳ２１で、ＣＰＵ８は、変数ｉに１を代入する。
【００４５】
次にステップＳ２２で、ＣＰＵ８は、値が１〜ｉまでのフラグ情報に対応するＲＡＭ１７に記憶されたデータ量情報に基づき、値が１〜ｉまでのフラグ情報に対応する録画情報をダビングするのに要する時間を算出する。ただし、ｉ＝１の場合は、値が１のフラグ情報に対応する録画情報のみをダビングするのに要する時間を算出する。
【００４６】
そして、ステップＳ２３で、ＣＰＵ８は、上記ステップＳ２２で算出されたダビング時間が、現在時刻から予約録画開始時刻Ｔ２までの時間内であるかを判定する。もし、ダビング時間が現在時刻から予約録画開始時刻Ｔ２までの時間内であれば（ステップＳ２３のＹ）、ステップＳ２４に進み、変数ｉを１だけ増加させて、上記ステップＳ２２に戻る。
【００４７】
そして、もし、ダビング時間が現在時刻から予約録画開始時刻Ｔ２までの時間を越えれば（ステップＳ２３のＮ）、ステップＳ２５に進み、変数Ｊにｉ−１を代入する。これにより、値が１〜Ｊまでのフラグ情報に対応する録画情報、つまりダビングされる順番でＪ番目までの録画情報がダビング可能であると判断できる。ただし、Ｊ＝０の場合は、ダビング可能な録画情報はないことを示す。
【００４８】
そして、図６に戻り、ステップＳ６で、ＣＰＵ８は、値が１〜Ｊまでの（Ｊ＝１の場合は値が１の）フラグ情報に対応するＲＡＭ１７に記憶されたタイトル名情報をＯＳＤ部１４に送出し、フラグ情報の値が小さいものから順にタイトル名を表示するようＯＳＤ部１４に指示し、ＯＳＤ部１４はタイトル名情報に基づき表示信号を生成しビデオエンコーダ１５に送出し、ビデエンコーダ１５は表示信号をコンポジット信号に変換し表示装置に送出する。
【００４９】
そして、図８のようなダビング確認画面が表示される。ここでは、現在時刻から予約録画開始時刻Ｔ２までの時間内にダビング可能な録画情報のタイトル名が、ダビングされる順番に上から表示される。図８は、図５（ｂ）のようにダビングする順番が設定され、現在時刻から予約録画開始時刻Ｔ２までの時間内に２タイトル目までならダビング可能である場合の画面を示している。なお、現在時刻から予約録画開始時刻Ｔ２までの時間内にダビング可能な録画情報がない場合（Ｊ＝０の場合）は、その旨を知らせる画面が表示される。
【００５０】
図８の画面において、リモコン２１が有する矢印キーにより選択枠２２が移動され「はい」が選択され、リモコン２１が有する決定ボタンが押されると、ステップＳ７に進む。ここで、ＣＰＵ８は、値が１〜Ｊまでの（Ｊ＝１の場合は値が１の）フラグ情報に対応する録画情報をフラグ情報の値が小さいものから順にハードディスクから読み出すようハードディスクドライブ９に指示し、ハードディスクドライブ９は、ハードディスクから録画情報を読み出して、ＣＰＵ８に送出する。そして、ＣＰＵ８は、録画情報をＤＶＤドライブ２０に送出し、ＤＶＤドライブ２０は録画情報をＤＶＤに記録し、ダビングが実行される。これにより、現在時刻から予約録画開始時刻Ｔ２までの時間内にダビング可能な録画情報が上記で設定されたダビングする順番でダビングされる。
【００５１】
なお、上記ステップＳ６で表示される図８のような画面は、これに限らず、「４タイトル中２タイトル目までダビング可能です。」というように、選択された録画情報のタイトル数のうち何タイトル目（Ｊの値）までダビング可能かを表示する画面でもよい。
【００５２】
このように本発明によれば、現在時刻から直近の予約録画開始時刻までの間に、選択した録画情報すべてをダビングすることが不可能であっても、現在時刻から直近の予約録画開始時刻までの間にダビング可能な録画情報が自動で調査され、その録画情報をダビングすることができるので、空き時間である現在時刻から直近の予約録画開始時刻までの時間を有効利用でき、結果的にユーザがダビングしたい録画情報を従来よりも早い時期にすべてダビングすることができ、利便性が向上する。
【００５３】
また、前述した図６に示すフローチャートにおいて、次のような処理をするようにしてもよい。ただし、ステップＳ１〜Ｓ４およびステップＳ８は前述と同様である。
【００５４】
ステップＳ５で、ＣＰＵ８は、上記で選択された録画情報のうち、ダビングに要する時間が現在時刻から予約録画開始時刻Ｔ２までの時間内で最大となるような録画情報の組み合わせ（単体の録画情報も含む）を調査する。ここでは、ＣＰＵ８は、フラグ情報の全組み合わせについてフラグ情報に対応するＲＡＭ１７に記憶されたデータ量情報に基づきダビング時間を算出し、それらのダビング時間のうち現在時刻から予約録画開始時刻Ｔ２までの時間内で最大となるダビング時間を検索し、そのダビング時間に対応するフラグ情報の組み合わせを特定し、そのフラグ情報の組み合わせに対応する録画情報がダビング可能であると判断する。
【００５５】
そして、ステップＳ６で、ＣＰＵ８は、上記ステップＳ５で特定されたフラグ情報の組み合わせに対応するＲＡＭ１７に記憶されたタイトル名情報をＯＳＤ部１４に送出し、フラグ情報の値が小さいものから順にタイトル名を表示するようＯＳＤ部１４に指示し、ＯＳＤ部１４はタイトル名情報に基づき表示信号を生成しビデオエンコーダ１５に送出し、ビデエンコーダ１５は表示信号をコンポジット信号に変換し表示装置に送出する。
【００５６】
そして、図９のようなダビング確認画面が表示される。ここでは、ダビング時間が現在時刻から予約録画開始時刻Ｔ２までの時間内で最大となる録画情報の組み合わせに対応するタイトル名が、ダビングされる順番に上から表示される。図９は、図５（ｂ）のようにダビングする順番が設定され、ダビング時間が現在時刻から予約録画開始時刻Ｔ２までの時間内に最大となる録画情報の組み合わせが「トラック６」「野球中継×ＶＳ△」「ドラマ×××」である場合の画面を示している。
【００５７】
図９の画面において、リモコン２１が有する矢印キーにより選択枠２２が移動され「はい」が選択され、リモコン２１が有する決定ボタンが押されると、ステップＳ７に進む。ここで、ＣＰＵ８は、上記ステップＳ５で特定されたフラグ情報の組み合わせに対応する録画情報をフラグ情報の値が小さいものから順にハードディスクから読み出すようハードディスクドライブ９に指示し、ハードディスクドライブ９は、ハードディスクから録画情報を読み出して、ＣＰＵ８に送出する。そして、ＣＰＵ８は、録画情報をＤＶＤドライブ２０に送出し、ＤＶＤドライブ２０は録画情報をＤＶＤに記録し、ダビングが実行される。これにより、ダビング時間が現在時刻から予約録画開始時刻Ｔ２までの時間内で最大となる録画情報の組み合わせが上記で設定されたダビングする順番でダビングされる。
【００５８】
これによれば、現在時刻から直近の予約録画開始時刻までの間に、選択した録画情報すべてをダビングすることが不可能であっても、ダビング時間が現在時刻から直近の予約録画開始時刻までの間で最大となる録画情報の組み合わせが自動で調査され、その録画情報をダビングすることができるので、空き時間である現在時刻から直近の予約録画開始時刻までの時間を最大限有効利用でき、結果的にユーザがダビングしたい録画情報をより早い時期にすべてダビングすることができ、利便性がより向上する。
【図面の簡単な説明】
【００５９】
【図１】は、本発明に係るＤＶＤレコーダのブロック図である。
【図２】は、メインメニュー画面を示す図である。
【図３】は、ハードディスク通常録画の操作画面を示す図である。
【図４】は、ハードディスク予約録画の操作画面を示す図である。
【図５】は、ダビングするタイトルを選択する画面を示す図である。
【図６】は、ダビング時の処理手順を示すフローチャートである。
【図７】は、ダビング可能な録画情報を調査する際の処理手順を示すフローチャートである。
【図８】は、ダビング可能な録画情報を表示する画面を示す図である。
【図９】は、ダビング可能な録画情報を表示する画面を示す図である。
【符号の説明】
【００６０】
１    ハードディスクレコーダ
２    アンテナ
３    チューナ
４    検波回路
５    ビデオデコーダ
６    Ａ／Ｄコンバータ
７    ＭＰＥＧエンコーダ
８    ＣＰＵ
９    ハードディスクドライブ
１０    ＭＰＥＧデコーダ
１１    スイッチ
１２    スイッチ
１３    Ｄ／Ａコンバータ
１４    ＯＳＤ部
１５    ビデオエンコーダ
１６    リモコン受信部
１７    ＲＡＭ
１８    フラッシュメモリ
１９    内部時計
２０    ＤＶＤドライブ
２１    リモコン
２２    選択枠
２３    カーソル
【図１】
2007214725.tif 000003
【図２】
2007214725.tif 000004
【図３】
2007214725.tif 000005
【図４】
2007214725.tif 000006
【図５】
2007214725.tif 000007
【図６】
2007214725.tif 000008
【図７】
2007214725.tif 000009
【図８】
2007214725.tif 000010
【図９】
2007214725.tif 000011